(57)【要約】      （修正有）【課題】利便性を向上させることができる情報提供システム及び情報提供方法を提供する。【解決手段】情報提供システム（河川情報システム４０）は、データ受信部４０１と、データ抽出部４０６と、情報提供部（画面提供部４０８）とを持つ。データ受信部は、河川に関する取得データを受信する。データ抽出部は、受信された前記取得データの値が基準値を上回った場合、当該基準値を上回った取得データと、前記基準値を上回った前記取得データに関連する河川と関連性を有する取得データを含むデータを、受信された前記取得データの中から抽出する。情報提供部は、抽出された前記データを表示するための画面データを要求元に提供する。【選択図】図２
2019008457.tif 000002
【特許請求の範囲】
【請求項１】
河川に関する取得データを受信するデータ受信部と、
受信された前記取得データの値が基準値を上回った場合、当該基準値を上回った取得データと、前記基準値を上回った前記取得データに関連する河川と関連性を有する取得データを含むデータを、受信された前記取得データの中から抽出するデータ抽出部と、
抽出された前記データを表示するための画面データを要求元に提供する情報提供部と、
を備える情報提供システム。
【請求項２】
前記データ抽出部は、前記取得データが上回った前記基準値の種類に応じて、前記基準値を上回った前記取得データを複数段階のレベルのいずれかに分類し、
前記情報提供部は、所定の期間内に得られたレベルの総和を、前記データに含まれる取得データに関連する地点の危険の度合いを表す危険度として算出し、前記データとともに前記危険度を表示するための画面データを要求元に提供する、請求項１に記載の情報提供システム。
【請求項３】
前記取得データは、観測データ及び予測データを含み、
前記情報提供部は、前記データに基づいて、前記データに関連する地域の地図データと、前記データに関連する観測局を示す観測局情報と、前記データから得られる前記観測データ又は前記予測データの統計図のいずれか又は全てを含む画面データを生成し、生成した画面データを提供する、請求項１に記載の情報提供システム。
【請求項４】
前記情報提供部は、指定された時刻における前記データ、又は、指定された時間分の前記データを表示させるための画面データを生成し、生成した画面データを提供する、請求項３に記載の情報提供システム。
【請求項５】
前記データ抽出部は、前記基準値を上回った前記観測データ又は前記予測データに関連する超過観測局と、前記超過観測局の周辺に位置する観測局とを含むグループを生成し、生成した前記グループに属する観測局に関する観測データ又は予測データを、受信された前記観測データ又は前記予測データの中から所定の期間分抽出する、請求項３に記載の情報提供システム。
【請求項６】
前記情報提供部は、前記データを保存する旨の指示がなされると、前記データを２次利用可能な形式で保存する、請求項１に記載の情報提供システム。
【請求項７】
河川に関する取得データを受信するデータ受信ステップと、
受信された前記取得データデータの値が基準値を上回った場合、前記基準値を上回った前記取得データと、前記基準値を上回った前記取得データに関連する河川と関連性を有する取得データとを含むデータを、受信された前記取得データの中から抽出するデータ抽出ステップと、
抽出された前記データを表示するための画面データを要求元に提供する情報提供ステップと、
を有する情報提供方法。
【請求項８】
前記データ抽出ステップにおいて、前記取得データが上回った前記基準値の種類に応じて、前記基準値を上回った前記取得データを複数段階のレベルのいずれかに分類し、
前記情報提供ステップにおいて、所定の期間内に得られたレベルの総和を、前記データに含まれる取得データに関連する地点の危険の度合いを表す危険度として算出し、前記データとともに前記危険度を表示するための画面データを要求元に提供する、請求項７に記載の情報提供方法。
【請求項９】
前記取得データは、観測データ及び予測データを含み、
前記情報提供ステップにおいて、前記データに基づいて、前記データに関連する地域の地図データと、前記データに関連する観測局を示す観測局情報と、前記データから得られる前記観測データ又は前記予測データの統計図のいずれか又は全てを含む画面データを生成し、生成した画面データを提供する、請求項７に記載の情報提供方法。
【請求項１０】
前記情報提供ステップにおいて、指定された時刻における前記データ、又は、指定された時間分の前記データを表示させるための画面データを生成し、生成した画面データを提供する、請求項９に記載の情報提供方法。
【請求項１１】
前記データ抽出ステップにおいて、前記基準値を上回った前記観測データ又は前記予測データに関連する超過観測局と、前記超過観測局の周辺に位置する観測局とを含むグループを生成し、生成した前記グループに属する観測局に関する観測データ又は予測データを、受信された前記観測データ又は前記予測データの中から所定の期間分抽出する、請求項９に記載の情報提供方法。
【請求項１２】
前記情報提供ステップにおいて、前記データを保存する旨の指示がなされると、前記データを２次利用可能な形式で保存する、請求項７に記載の情報提供方法。
【発明の詳細な説明】
【技術分野】
【０００１】
本発明の実施形態は、情報提供システム及び情報提供方法に関する。
【背景技術】
【０００２】
河川情報システムは、テレメータシステムやダムシステムが計測した雨量、水位、ダム諸量などの観測データをリアルタイムに収集し、収集した観測データを河川管理者（職員等）、水防関係者、地域住民に対して提供する設備である。現状の河川情報システムでは、収集した観測データに対して演算処理した結果を保存し、Ｗｅｂ画面にて情報提供している。しかしながら、観測データの閲覧は、観測局毎に選択しなければならず利便性が悪い場合があった。
【先行技術文献】
【特許文献】
【０００３】
【特許文献１】特開２０１５−７２６６６号公報
【特許文献２】特開２００６−２３４６５４号公報
【特許文献３】特開２００５−１９１８７０号公報
【発明の概要】
【発明が解決しようとする課題】
【０００４】
本発明が解決しようとする課題は、利便性を向上させることができる情報提供システム及び情報提供方法を提供することである。
【課題を解決するための手段】
【０００５】
実施形態の情報提供システムは、データ受信部と、データ抽出部と、情報提供部とを持つ。データ受信部は、河川に関する取得データを受信する。データ抽出部は、受信された前記取得データの値が基準値を上回った場合、当該基準値を上回った取得データと、前記基準値を上回った前記取得データに関連する河川と関連性を有する取得データを含むデータを、受信された前記取得データの中から抽出する。情報提供部は、抽出された前記データを表示するための画面データを要求元に提供する。
【図面の簡単な説明】
【０００６】
【図１】実施形態の情報提供システム１００のシステム構成を示す図。
【図２】実施形態の河川情報システム４０の機能構成を表すブロック図。
【図３】実施形態の河川情報システム４０の処理の流れを示すフローチャート。
【図４】実施形態の所定の基準に基づいてグループを生成した場合の一例を示す図。
【図５】実施形態の河川情報システム４０の処理の流れを示すフローチャート。
【図６】実施形態の超過関連情報の一覧表示画面の一例を示す図。
【図７】実施形態の詳細画面の一例を示す図。
【図８】実施形態の全体画面の一例を示す図。
【発明を実施するための形態】
【０００７】
以下、実施形態の情報提供システム及び情報提供方法を、図面を参照して説明する。
図１は、実施形態の情報提供システム１００のシステム構成を示す図である。情報提供システム１００は、テレメータシステム１０、ダムシステム２０、予測システム３０、河川情報システム４０、メールサーバ５０、通信装置６０及び操作端末７０を備える。河川情報システム４０と通信装置６０、及び、メールサーバ５０と通信装置６０とはネットワーク８０を介して接続される。ネットワーク８０は、例えばインターネットである。
【０００８】
テレメータシステム１０は、河川周辺の各地点に設置された複数のテレメータ観測局それぞれから観測データを収集、加工（情報処理）して河川情報システム４０に提供する。例えば、テレメータシステム１０は、定期的（例えば、１０分おき）に各テレメータ観測局から観測データを収集し、一括管理する。テレメータ観測局は、内部に水位センサ、雨量センサ等を備え、定期的に、各々の設置された地点における河川水位や雨量等の観測データを観測する。テレメータ観測局は、例えば、雨量局及び水位局である。
【０００９】
ダムシステム２０は、ダムに設置されたダム観測局から観測データを収集、加工（情報処理）して河川情報システム４０に提供する。例えば、ダムシステム２０は、定期的（例えば、１０分おき）に各ダム観測局から観測データを収集し、一括管理する。ダム観測局は、貯水池の状況（水位、流入量、貯水量（率）等）と、放流時刻を示す時刻情報とを示すダム諸量データを観測データとして河川情報システム４０に提供する。
予測システム３０は、河川周辺の河川水位や降雨量を予測し、予測結果を予測データとして河川情報システム４０に提供する。
【００１０】
河川情報システム４０は、テレメータシステム１０及びダムシステム２０から提供された観測データと、予測システム３０から提供された予測データとを取得する。河川情報システム４０は、取得した観測データ又は予測データに対して演算処理した結果を保存し、通信装置６０及び操作端末７０に提供する。例えば、河川情報システム４０は、演算処理した結果をウェブ画面にて通信装置６０に提供する。また、河川情報システム４０は、観測データ又は予測データが基準値を超過した場合には、メールサーバ５０に対して、河川氾濫のおそれ等を警告する通知の送信を指示する。
【００１１】
メールサーバ５０は、河川情報システム４０からの指示に応じて、通知を電子メールにて、事前に登録された通報先（例えば、通信装置６０）に送信する。
通信装置６０は、例えばスマートフォン、携帯電話、タブレット端末、ノートパソコン、パーソナルコンピュータ等の情報処理装置を用いて構成される。通信装置６０は、例えば自治体の職員、水防関係者及び地域住民が使用する通信装置である。通信装置６０は、指示に応じて、ネットワーク８０を介して、河川情報システム４０からウェブ画面のデータを取得し、取得したウェブ画面のデータを表示する。
【００１２】
操作端末７０は、例えばスマートフォン、携帯電話、タブレット端末、ノートパソコン、パーソナルコンピュータ等の情報処理装置を用いて構成される。操作端末７０は、例えば自治体の職員が使用する通信装置である。操作端末７０は、指示に応じて、河川情報システム４０から観測データ又は予測データを取得し、取得した観測データ又は予測データを表示する。
【００１３】
図２は、河川情報システム４０の機能構成を表すブロック図である。河川情報システム４０は、１台又は複数台の情報処理装置によって構成される。例えば、河川情報システム４０が一台の情報処理装置で構成される場合、河川情報システム４０は、バスで接続されたＣＰＵ（Central Processing Unit）やメモリや補助記憶装置などを備え、情報提供プログラムを実行する。情報提供プログラムの実行によって、河川情報システム４０は、データ受信部４０１、演算処理部４０２、データ保存部４０３、データ記憶部４０４、条件判定部４０５、データ抽出部４０６、超過関連情報記憶部４０７、画面提供部４０８を備える装置として機能する。なお、河川情報システム４０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、情報提供プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、情報提供プログラムは、電気通信回線を介して送受信されてもよい。
【００１４】
データ受信部４０１は、テレメータシステム１０及びダムシステム２０から観測データを受信する。また、データ受信部４０１は、予測システム３０から予測データを受信する。なお、以下の説明では、観測データ及び予測データを特に区別しない場合には「取得データ」と記載する。
演算処理部４０２は、データ受信部４０１によって受信された取得データに対して演算処理を行う。
【００１５】
データ保存部４０３は、データ受信部４０１によって受信された取得データをデータ記憶部４０４に保存する。
データ記憶部４０４は、磁気ハードディスク装置や半導体記憶装置などの記憶装置を用いて構成される。データ記憶部４０４は、取得データを記憶する。
【００１６】
条件判定部４０５は、取得データが基準値を上回ったか否か判定する。
データ抽出部４０６は、条件判定部４０５によって取得データが基準値を上回ったと判定された場合、データ記憶部４０４に記憶されている取得データの中から、基準値を上回った取得データ（以下「超過取得データ」という。）と、超過取得データに関連する河川と関連性を有する取得データとを含む所定期間分のデータを超過関連情報としてデータ記憶部４０４から抽出する。
【００１７】
超過関連情報記憶部４０７は、磁気ハードディスク装置や半導体記憶装置などの記憶装置を用いて構成される。超過関連情報記憶部４０７は、超過関連情報を記憶する。
画面提供部４０８は、要求に応じてＷｅｂ画面のデータを生成し、生成したＷｅｂ画面のデータを要求元に提供する。例えば、画面提供部４０８は、要求に応じて、データ記憶部４０４に記憶されている取得データに基づいてＷｅｂ画面のデータを生成し、生成したＷｅｂ画面のデータを要求元の通信装置に提供する。また、例えば、画面提供部４０８は、要求に応じて、超過関連情報記憶部４０７に記憶されている超過関連情報に基づいてＷｅｂ画面のデータを生成し、生成したＷｅｂ画面のデータを要求元の通信装置に提供する。
【００１８】
図３は、河川情報システム４０の処理の流れを示すフローチャートである。
データ受信部４０１は、テレメータシステム１０、ダムシステム２０及び予測システム３０から取得データを受信する（ステップＳ１０１）。データ受信部４０１は、受信した取得データを演算処理部４０２に出力する。演算処理部４０２は、出力された取得データに対して演算処理を行う（ステップＳ１０２）。例えば、演算処理部４０２は、出力された取得データ（例えば、雨量の観測データ）の累加雨量、時間雨量等を算出する。また、例えば、演算処理部４０２は、出力された取得データ（例えば、水位の観測データ）の水位変化差分、水位変動率等を算出する。演算処理部４０２は、演算後の取得データと、受信された取得データとをデータ保存部４０３及び条件判定部４０５に出力する。データ保存部４０３は、取得データをデータ記憶部４０４に保存する（ステップＳ１０３）。
【００１９】
条件判定部４０５は、出力された取得データと、基準値とに基づいて、超過取得データがあるか否か判定する（ステップＳ１０４）。ここで、基準値の一例について詳細に説明する。基準値には、水位の基準値、雨量の基準値及びダムに関する基準値が含まれる。
【００２０】
（水位の基準値）
・水防団待機水位  Ａｉ［ｍ］
・はん濫注意水位  Ｂｉ［ｍ］
・避難判断水位    Ｃｉ［ｍ］
・はん濫危険水位  Ｄｉ［ｍ］
（なお、水防団待機水位Ａｉ［ｍ］＜はん濫注意水位Ｂｉ［ｍ］＜避難判断水位Ｃｉ［ｍ］＜はん濫危険水位Ｄｉ［ｍ］）
・水位変化差分    Ｅｉ［ｃｍ］（前回水位との差）
・水位変動率      Ｆｉ［ｃｍ／分］（単位時間当たりの水位の上昇率）
【００２１】
（雨量の基準値）
・１０分雨量  Ｇ［ｍｍ］
・時間雨量    Ｈ［ｍｍ］
・累加雨量    Ｉ［ｍｍ］
【００２２】
（ダムに関する基準値）
・放流量  Ｊｎ［ｍ３］
・流入量  Ｋｎ［ｍ３］
・貯水位  Ｌｎ［ｍ］
【００２３】
条件判定部４０５は、出力された取得データの値が、基準値を上回る場合に超過取得データがあると判定する。一方、条件判定部４０５は、出力された取得データの値が、基準値以下の場合に超過取得データがないと判定する。超過取得データがある場合（ステップＳ１０４−ＹＥＳ）、条件判定部４０５は超過取得データがある旨の通知をデータ抽出部４０６に出力する。この際、条件判定部４０５は、超過取得データに関連する観測局（以下「超過対象局」という。）を識別する識別情報を通知に含めて出力する。ここで、超過取得データに関連する観測局とは、超過取得データを観測した観測局又は予測システム３０において超過取得データを観測すると予測された観測局である。
【００２４】
データ抽出部４０６は、条件判定部４０５から通知を取得すると、所定の基準に基づいてグループを生成する（ステップＳ１０５）。所定の基準の一例として、例えば超過対象局からＸ［ｍ］以内に位置していること、又は、超過対象局が設置された水系や河川と同一の水系や河川からＹ［ｍ］以内に位置していることが挙げられる。データ抽出部４０６は、通知に含まれる識別情報から特定される超過対象局と、所定の基準を満たす観測局とを１つのグループとして生成する。
【００２５】
図４は、所定の基準に基づいてグループを生成した場合の一例を示す図である。図４に示すように、ある水位局８１が超過対象局である場合、データ抽出部４０６は超過対象局が設置された水系や河川と同一の水系や河川からＹ［ｍ］以内に位置している観測局（図４の円８２で囲まれる観測局）を１つのグループとして生成する。
【００２６】
データ抽出部４０６は、生成したグループに属する全観測局の取得データをデータ記憶部４０４から所定の期間分抽出する（ステップＳ１０６）。例えば、データ抽出部４０６は、下記のデータ抽出条件に従って、グループに属する全観測局の取得データをデータ記憶部４０４から所定の期間分抽出する。
【００２７】
＜データ抽出条件＞
（データ抽出開始時刻の条件）
グループに属する雨量局における最新の降雨開始時刻
（データ抽出終了時刻の条件）
グループに属する雨量局における最新の降雨終了時刻
【００２８】
一般的に、降雨終了とは、雨量局において雨量０［ｍｍ］が観測されてから、その雨量局において予め定められた時間（例えば、３０分）の間に一度も雨量０［ｍｍ］以外が観測されなかった場合である。すなわち、雨量局において雨量０［ｍｍ］が観測されたとしても、雨量０［ｍｍ］が観測されてから予め定められた時間の間に一度でも雨量０［ｍｍ］以外が観測されると降雨終了とはならない。
【００２９】
具体例には、データ抽出部４０６は、データ記憶部４０４に記憶されている取得データを参照し、ある時刻ｔ１が降雨開始時刻であり、時刻ｔ１から数分後のある時刻ｔ２において雨量０［ｍｍ］が観測され、時刻ｔ２から予め定められた時間の間に一度も雨量０［ｍｍ］以外が観測されなかった場合には降雨が終了したと判断する。この場合、データ抽出部４０６は、時刻ｔ１を最新の降雨開始時刻とし、時刻ｔ２から予め定められた時間経過後の時刻ｔ３を最新の降雨終了時刻と判断する。
【００３０】
また、データ抽出部４０６は、データ記憶部４０４に記憶されている取得データを参照し、ある時刻ｔ１が降雨開始時刻であり、時刻ｔ１から数分後のある時刻ｔ２において雨量０［ｍｍ］が観測され、時刻ｔ２から数分後で、かつ、予め定められた時間内のある時刻ｔ３において雨量０［ｍｍ］以外が観測されると降雨が継続されたと判断し、その後、雨量０［ｍｍ］が観測され、予め定められた時間の間に一度も雨量０［ｍｍ］以外が観測されなかった場合には降雨が終了したと判断する。この場合、データ抽出部４０６は、時刻ｔ１を最新の降雨開始時刻とし、雨量０［ｍｍ］が観測されてから予め定められた時間経過後の時刻を最新の降雨終了時刻と判断する。
【００３１】
データ抽出部４０６は、抽出した所定の期間分の取得データを、ステップＳ１０５の処理において生成されたグループにおける超過関連情報として超過関連情報記憶部４０７に保存する（ステップＳ１０７）。この際、データ抽出部４０６は、抽出した所定の期間分の取得データと、基準値と、基準値に対応付けられたレベルとに基づいて、超過取得データを複数段階のレベルのいずれかに分類し、当該超過取得データに対応付ける。基準値に対応付けられたレベルは、例えば以下であってもよい。なお、基準値に対応付けられたレベルは、一例であってこれに限定される必要はない。
【００３２】
（水位の基準値：レベル）
・水防団待機水位  Ａｉ［ｍ］：レベル２
・はん濫注意水位  Ｂｉ［ｍ］：レベル４
・避難判断水位    Ｃｉ［ｍ］：レベル６
・はん濫危険水位  Ｄｉ［ｍ］：レベル８
（なお、水防団待機水位Ａｉ［ｍ］＜はん濫注意水位Ｂｉ［ｍ］＜避難判断水位Ｃｉ［ｍ］＜はん濫危険水位Ｄｉ［ｍ］）
・水位変化差分    Ｅｉ［ｃｍ］：レベル４
・水位変動率      Ｆｉ［ｃｍ／分］：レベル４
【００３３】
（雨量の基準値：レベル）
・１０分雨量  Ｇ［ｍｍ］：レベル３
・時間雨量    Ｈ［ｍｍ］：レベル２
・累加雨量    Ｉ［ｍｍ］：レベル１
【００３４】
（ダムに関する基準値：レベル）
・放流量  Ｊｎ［ｍ３］：レベル３
・流入量  Ｋｎ［ｍ３］：レベル２
・貯水位  Ｌｎ［ｍ］  ：レベル１
【００３５】
図５は、河川情報システム４０の処理の流れを示すフローチャートである。なお、図５の処理は、河川情報システム４０に対するＷｅｂ画面の提供要求がなされた場合に実行される。
画面提供部４０８は、超過関連情報記憶部４０７に記憶されている超過関連情報を取得する。画面提供部４０８は、取得した超過関連情報に基づいて、図６に示すような一覧表示画面の画面データを生成し、生成した一覧表示画面の画面データを要求元に提供する（ステップＳ２０１）。具体的には、画面提供部４０８は、取得した超過関連情報を時系列順に並べることによって図６に示すような一覧表示画面の画面データを生成し、生成した一覧表示画面の画面データを要求元に提供する。
【００３６】
図６は、超過関連情報の一覧表示画面の一例を示す図である。図６に示す画面は、要求元の通信装置が、提供された一覧表示画面の画面データを表示部に表示させることによって表示される。図６に示すように、一覧表示画面には、超過時刻、地域、河川、グループ、超過局、超過情報、超過件数、危険度及び情報表示ボタンの各値が表示される。超過時刻は、超過取得データがテレメータシステム１０、ダムシステム２０及び予測システム３０のいずれかのシステムによって得られた時刻を表す。地域は、超過対象局が設置されている地域を表す。河川は、超過対象局が設置されている地域付近の河川を表す。グループは、超過対象局が属するグループを表す。
【００３７】
超過局は、超過対象局を表す。超過情報は、取得データが上回った基準値に関する情報を表す。超過件数は、グループ内の超過関連情報の総数を表す。危険度は、取得データに関連する地点の危険の度合いを表す。危険度は、グループ内のレベルの総和により算出される。情報表示ボタンは、各超過関連情報のより詳細な情報を表示させるためのボタンを表す。情報表示ボタンには、詳細ボタン及び画面ボタンがある。詳細ボタンは、対応する超過関連情報に含まれる取得データのうち超過取得データの詳細な情報を表示させるボタンを表す。画面ボタンは、対応する超過関連情報に含まれる取得データを、地図データ等に対応付けて表示させるボタンを表す。なお、図６には示していないが、一覧表示画面には、昇順／降順での並び替え、各項目での絞り込みの指示を入力する入力ボタンが設けられてもよい。
【００３８】
図５に戻り、画面提供部４０８は、一覧表示画面において入力があったか否か判定する（ステップＳ２０２）。入力がない場合（ステップＳ２０２−ＮＯ）、画面提供部４０８は何らか（例えば、指示）の入力がなされるまで待機する。
一方、入力ある場合（ステップＳ２０２−ＹＥＳ）、画面提供部４０８は入力された内容を判定する（ステップＳ２０３）。具体的には、画面提供部４０８は、入力された内容が、詳細ボタンが押下されたことを示す内容であるか画面ボタンが押下されたことを示す内容であるかを判定する。
【００３９】
入力された内容が、詳細ボタンが押下されたことを示す内容である場合（ステップＳ２０３−詳細ボタン押下）、画面提供部４０８は押下された詳細ボタンに対応する超過関連情報内の詳細な情報を要求元に提供する（ステップＳ２０４）。図５では説明のため、図６において超過関連情報８３に対応する詳細ボタンが押下されたとする。この場合、まず画面提供部４０８は、超過関連情報８３を構成するグループにおける超過関連情報を超過関連情報記憶部４０７から取得する。次に、画面提供部４０８は、取得した超過関連情報に基づいて、超過関連情報内の詳細な情報が示された画面（以下「詳細画面」という。）の画面データを生成する。画面提供部４０８は、生成した詳細画面の画面データを生成し、生成した詳細画面の画面データを要求元に提供する。
【００４０】
図７は、詳細画面の一例を示す図である。図７に示す画面は、要求元の通信装置が、提供された詳細画面の画面データを表示部に表示させることによって表示される。図７に示すように、詳細画面には、超過時刻、地域、河川、グループ、超過局、超過情報及びレベルの各値が表示される。超過時刻、地域、河川、グループ、超過局及び超過情報は、図６で説明したため説明を省略する。レベルの値は、超過取得データに対して、上回った基準値の種類に応じて割り当てられた水準の高さを表す。
【００４１】
図５に戻り、その後、画面提供部４０８は、提供元の通信装置から指示があるか否か判定する（ステップＳ２０５）。指示がない場合（ステップＳ２０５−ＮＯ）、画面提供部４０８は指示が入力されるまで待機する。
一方、指示がある場合（ステップＳ２０５−ＹＥＳ）、画面提供部４０８は入力された指示が終了指示であるか否か判定する（ステップＳ２０６）。
【００４２】
入力された指示が終了指示である場合（ステップＳ２０６−ＹＥＳ）、画面提供部４０８は画面の提供を終了し、処理を終了する。
一方、入力された指示が終了指示ではない場合（ステップＳ２０６−ＮＯ）、画面提供部４０８は入力された指示に応じた処理を実行する（ステップＳ２０７）。例えば、入力された指示が、前画面に戻る指示である場合、画面提供部４０８は現在提供している画面の直前に提供していた画面データを要求元に提供する。また、例えば、入力された指示が、一覧表示画面の提供指示である場合、画面提供部４０８は一覧表示画面の画面データを要求元に提供する。
【００４３】
ステップＳ２０３の処理において、入力された内容が、画面ボタンが押下されたことを示す内容である場合（ステップＳ２０３−画面ボタン押下）、画面提供部４０８は押下された画面ボタンに対応する超過関連情報に関する全体画面データを生成する（ステップＳ２０８）。図５では説明のため、図６において超過関連情報８３に対応する詳細ボタンが押下されたとする。この場合、まず画面提供部４０８は、超過関連情報８３を構成するグループにおける超過関連情報を超過関連情報記憶部４０７から取得する。次に、画面提供部４０８は、取得した超過関連情報を用いて、各観測局の水位の変化を表すグラフ、雨量の変化を表すグラフ、ダムに関する情報を生成する。
【００４４】
そして、画面提供部４０８は、生成した各観測局の水位の変化を表すグラフ、雨量の変化を表すグラフ、ダムに関する情報を、超過関連情報に関連する地域の地図データの超過関連情報に関連する観測局の配置位置に対応付けて配置した画像データを含む全体画面の画面データを生成する。画面提供部４０８は、生成した全体の画面データを要求元に提供する（ステップＳ２０９）。
【００４５】
図８は、全体画面の一例を示す図である。図８に示す画面は、要求元の通信装置が、提供された全体画面の画面データを表示部に表示させることによって表示される。図８に示すように、全体画面には、データ再生ボタン８４と、時刻シフトボタン８５と、時刻指定ボタン８６と、データ保存ボタン８７と、観測データ８８とが表示される。
ここで、観測データ８８は、地図データ９２を中心に、各観測地点の観測データを表示するグラフ８９、グラフ９０、グラフ９１等が表示される。ここで、グラフの一部は、当該観測場所の画像と一緒に観測データを一緒に表示する様にしてもよい。また、地図データ９２とともに表示する情報は、グラフに限らず、観測時刻の数値データが表示されてもよい。
データ再生ボタン８４は、指定した時間分のデータを動画で再生させるためのボタンを表す。例えば、ある時刻ａから時刻ｂまでの時間分の取得データの変化を動的に表示させるためのボタンである。
【００４６】
データ再生ボタン８４に対応付けられている進むボタンは、現在表示している時刻（○○：○○）から、指定された時間分先までにおける取得データの変化を動画で再生させるためのボタンである。データ再生ボタン８４に対応付けられている戻るボタンは、現在表示している時刻（○○：○○）から、指定された時間分遡った時間までにおける取得データの変化を動画で再生させるためのボタンである。時刻シフトボタン８５は、現在表示している時刻から、所定の時間分ずらした時刻のデータを表示させるためのボタンを表す。時刻シフトボタン８５に対応付けられている進むボタンは、現在表示している時刻から、所定の時間分先にずらした時刻のデータを表示させるためのボタンを表す。時刻シフトボタン８５に対応付けられている戻るボタンは、現在表示している時刻から、所定の時間分遡った時刻のデータを表示させるためのボタンを表す。
【００４７】
時刻指定ボタン８６は、時刻を指定するためのボタンを表す。データ保存ボタン８７は、超過関連情報を２次利用可能な形式で外部メディア（例えば、ＵＳＢ（Universal Serial Bus））に保存するためのボタンである。観測データ８８は、超過関連情報に含まれる観測局の関連性を図で表した画像データである。図８では、観測データ８８として、超過関連情報に含まれる各観測局の水位の変化を表すグラフ８９、雨量の変化を表すグラフ９０、ダムに関する情報９１の全てを、超過関連情報に関連する地域の地図データ９２の超過関連情報に関連する観測局９３の配置位置に対応付けて配置した画像データが示されている。
【００４８】
図５に戻り、その後、画面提供部４０８は、入力された指示に応じた処理を実行する（ステップＳ２１０）。例えば、全体画面において、データ保存ボタン８７が押下された場合、画面提供部４０８はデータ保存ボタン８７が押下された時点で表示されている観測データ８８に関連する超過関連情報をＣＳＶ形式で外部メディアに保存する。
【００４９】
以上のように構成された情報提供システム１００によれば、利便性を向上させることができる。具体的には、情報提供システム１００では、河川情報システム４０が、要求に応じて、超過対象局の情報のみならず超過対象局の周辺に位置する観測局における情報を含むＷｅｂ画面データを提供する。これにより、自治体の職員、水防関係者及び地域住民は、観測データを閲覧する際に、観測局毎に選択しなくて済む。そのため、利便性を向上させることができる。その結果、災害発生前後の降雨状況や水位変動等の状況把握を容易にすることができるとともにとともに、保存データを用いたデータ解析・報告書作成などの業務に役立てることが可能となる。
【００５０】
以下、情報提供システム１００の変形例について説明する。
データ抽出部４０６は、グループを次のように生成してもよい。例えば、データ抽出部４０６は、河川管理者が参照した観測局に関する情報を画面提供部４０８に記憶させ、超過対象局の前後で参照した観測局の頻度を学習させ、超過対象局に紐付けた複数の観測局のグループを自動的に生成する。
データ抽出開始時刻の条件と、データ抽出終了時刻の条件とは次のように定められてもよい。
（データ抽出開始時刻の条件）
関連付けられた全て観測局で最古の基準値超過時刻から一定時間前の時刻
（データ抽出終了時刻の条件）
関連付けられた全て観測局で超過状態が解消してから一定時間後の時刻
【００５１】
観測データ８８上における地図データ９２と各観測地点のグラフ８９、グラフ９０、グラフ９１の配置は図８に示す配置に限定される必要はない。例えば、画面提供部４０８は、超過関連情報に含まれる各観測局の数に応じてグラフの大きさを変更してもよいし、地図データの配置位置を真ん中でなく、片側に寄せてグラフやダムに関する情報を地図と反対側に全て配置してもよい。また、画面提供部４０８は、超過関連情報に含まれる各観測局のうち、超過対象局の超過関連情報を超過対象局ではない観測局の超過関連情報と異なる態様で表示させてもよい。例えば、画面提供部４０８は、色、文字、文字サイズ等の表示態様を異ならせてもよい。
【００５２】
以上説明した少なくともひとつの実施形態によれば、取得データを受信するデータ受信部と、受信された取得データの値が基準値を上回った場合、超過取得データと、超過取得データに関連する河川と関連性を有する取得データとを含むデータを、受信された取得データの中から抽出するデータ抽出部と、抽出されたデータを表示するための画面データを要求元に提供する情報提供部とを持つことにより、利便性を向上させることができる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１０…テレメータシステム，２０…ダムシステム，３０…予測システム，４０…河川情報システム，５０…メールサーバ，６０…通信装置，７０…操作端末，４０１…データ受信部，４０２…演算処理部，４０３…データ保存部，４０４…データ記憶部，４０５…条件判定部，４０６…データ抽出部，４０７…超過関連情報記憶部，４０８…画面提供部
【図１】
2019008457.tif 000003
【図２】
2019008457.tif 000004
【図３】
2019008457.tif 000005
【図４】
2019008457.tif 000006
【図５】
2019008457.tif 000007
【図６】
2019008457.tif 000008
【図７】
2019008457.tif 000009
【図８】
2019008457.tif 000010